Podtech/llm-jp-corpus-v4-ja_patent huggingface dataset:
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
車両（ＶＣ）に搭載される熱交換システム（１０）であって、
空気と熱媒体との間で熱交換を行う熱交換器（１００）と、
前記熱交換器を通過するように空気を送り出すファン（３００）と、を備え、
前記ファンは、前記車両の後方側に向けて空気を送り出す正回転動作と、前記車両の前方側に向けて空気を送り出す逆回転動作と、のいずれをも行うことが可能となっており、
前記ファンが前記逆回転動作を行う際において、前記熱交換器を通過する空気の流量が増加するように、前記熱交換器を通過した空気を吸引する吸引部（４１０，４５０，４６０，４７０）を更に備え、
前記吸引部は、前記車両のエンジン（ＥＧ）に燃焼用の空気を供給するための吸気流路（４００）につながっており、前記熱交換器を通過した空気を吸引するように構成されている熱交換システム。
【請求項２】
前記吸引部によって吸引される空気の流量を調整するための調整弁（４２０）を更に備える、請求項１に記載の熱交換システム。
【請求項３】
前記熱交換器よりも前記車両の前方側となる位置には、前記熱交換器に空気が到達する経路の開閉を切り換えるシャッター装置（６００）が設けられている、請求項１又は２に記載の熱交換システム。
【請求項４】
制御装置（７００）を更に備えており、前記制御装置は、
前記ファンが前記逆回転動作を行う際には、前記熱交換器に空気が到達しない状態となるように前記シャッター装置を動作させる、請求項３に記載の熱交換システム。
【手続補正２】
【補正対象書類名】明細書
【補正対象項目名】０００８
【補正方法】変更
【補正の内容】
【０００８】
本開示に係る熱交換システムは、車両（ＶＣ）に搭載される熱交換システム（１０）であって、空気と熱媒体との間で熱交換を行う熱交換器（１００）と、熱交換器を通過するように空気を送り出すファン（３００）と、を備える。ファンは、車両の後方側に向けて空気を送り出す正回転動作と、車両の前方側に向けて空気を送り出す逆回転動作と、のいずれをも行うことが可能となっている。この熱交換システムは、ファンが逆回転動作を行う際において、熱交換器を通過する空気の流量が増加するように、熱交換器を通過した空気を吸引する吸引部（４１０，４５０，４６０，４７０）を更に備える。吸引部は、車両のエンジン（ＥＧ）に燃焼用の空気を供給するための吸気流路（４００）につながっており、熱交換器を通過した空気を吸引するように構成されている。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を実行するとともに当該抽選の結果に基づいて遊技の演出を実行可能な遊技機であって、
前記遊技の演出を行うための演出装置と、
前記演出装置の演出態様が定義されたスケジューラーデータと、
前記スケジューラーデータを実行可能な複数のスケジューラと、
を備え、
前記スケジューラーデータは、前記演出装置を制御可能なファンクションと当該ファンクションに対応したパラメータを含んで構成され、
前記ファンクションには、当該ファンクションに対応したパラメータで指定された情報にもとづいて前記演出装置を所定の演出態様で実行可能な再生ファンクションが含まれ、
前記再生ファンクションに対応したパラメータで指定された情報にもとづいて前記演出装置を所定の演出態様で実行しているときに、該実行中の演出態様と同じパラメータが指定された再生ファンクションが実行された場合に、実行中の所定の演出態様を最初から再開する
ことを特徴とする遊技機。
【請求項２】
所定条件の成立に基づいて抽選を実行するとともに当該抽選の結果に基づいて遊技の演出を実行可能な遊技機であって、
前記遊技の演出を行うための演出装置と、
前記演出装置の演出態様が定義されたスケジューラーデータと、
前記スケジューラーデータを実行可能な複数のスケジューラと、
を備え、
前記スケジューラーデータは、前記演出装置を制御可能なファンクションと当該ファンクションに対応したパラメータを含んで構成され、
前記ファンクションには、当該ファンクションに対応したパラメータで指定された情報にもとづいて前記演出装置を所定の演出態様で実行可能な再生ファンクションが含まれ、
前記再生ファンクションに対応したパラメータで指定された情報にもとづいて前記演出装置を所定の演出態様で実行しているときに、該実行中の演出態様と同じパラメータが指定された再生ファンクションが実行された場合に、実行中の所定の演出態様を継続して実行する
ことを特徴とする遊技機。
【手続補正２】
【補正対象書類名】明細書
【補正対象項目名】０００６
【補正方法】変更
【補正の内容】
【０００６】
上述した目的を達成するため、本発明の代表的な実施形態では、所定条件の成立に基づいて抽選を実行するとともに当該抽選の結果に基づいて遊技の演出を実行可能な遊技機であって、前記遊技の演出を行うための演出装置と、前記演出装置の演出態様が定義されたスケジューラーデータと、前記スケジューラーデータを実行可能な複数のスケジューラと、を備え、前記スケジューラーデータは、前記演出装置を制御可能なファンクションと当該ファンクションに対応したパラメータを含んで構成され、前記ファンクションには、当該ファンクションに対応したパラメータで指定された情報にもとづいて前記演出装置を所定の演出態様で実行可能な再生ファンクションが含まれ、前記再生ファンクションに対応したパラメータで指定された情報にもとづいて前記演出装置を所定の演出態様で実行しているときに、該実行中の演出態様と同じパラメータが指定された再生ファンクションが実行された場合に、実行中の所定の演出態様を最初から再開することを特徴とする遊技機。
また、所定条件の成立に基づいて抽選を実行するとともに当該抽選の結果に基づいて遊技の演出を実行可能な遊技機であって、前記遊技の演出を行うための演出装置と、前記演出装置の演出態様が定義されたスケジューラーデータと、前記スケジューラーデータを実行可能な複数のスケジューラと、を備え、前記スケジューラーデータは、前記演出装置を制御可能なファンクションと当該ファンクションに対応したパラメータを含んで構成され、前記ファンクションには、当該ファンクションに対応したパラメータで指定された情報にもとづいて前記演出装置を所定の演出態様で実行可能な再生ファンクションが含まれ、前記再生ファンクションに対応したパラメータで指定された情報にもとづいて前記演出装置を所定の演出態様で実行しているときに、該実行中の演出態様と同じパラメータが指定された再生ファンクションが実行された場合に、実行中の所定の演出態様を継続して実行することを特徴とする遊技機。
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
始動条件の成立に基づいて複数列の図柄の変動表示を行い、前記変動表示の結果が予め定められた特別表示結果になると遊技者に有利な特別遊技を実行することが可能な遊技機において、
前記図柄を視認し難い第１態様と前記第１態様よりも視認し易い第２態様の何れかの態様で変動表示可能な表示制御手段を備え、
前記表示制御手段は、
前記図柄を前記第１態様にて変動表示させた後に、前記第２態様にて変動表示させ、
前記第２態様の変動表示を、変化可能な変化可能表示状態から確定停止表示状態とすることが可能であり、
前記特別表示結果となる特別表示態様と前記特別表示結果とならない非特別表示態様の何れが表示される場合であっても、前記第２態様の変動表示が前記変化可能表示状態から前記確定停止表示状態に移行することを示唆する所定演出を実行可能であることを特徴とする遊技機。
【手続補正２】
【補正対象書類名】明細書
【補正対象項目名】０００７
【補正方法】変更
【補正の内容】
【０００７】
本発明は、始動条件の成立に基づいて複数列の図柄の変動表示を行い、前記変動表示の結果が予め定められた特別表示結果(例えば、当り目)になると遊技者に有利な特別遊技(例えば、大当り遊技)を実行することが可能な遊技機において、前記図柄を視認し難い第１態様(例えば、高速変動で表示)と前記第１態様よりも視認し易い第２態様(例えば、３つの図柄が揃って表示)の何れかの態様で変動表示可能な表示制御手段を備え、前記表示制御手段は、前記図柄を前記第１態様にて変動表示させた後に、前記第２態様にて変動表示させ、前記第２態様の変動表示を、変化可能な変化可能表示状態(例えば、３つの図柄が揃って揺動状態で表示(仮停止))から確定停止表示状態(例えば、３つの図柄が揃って静止状態で表示(本停止、確定停止))とすることが可能であり、前記特別表示結果となる特別表示態様と前記特別表示結果とならない非特別表示態様の何れが表示される場合であっても、前記第２態様の変動表示が前記変化可能表示状態から前記確定停止表示状態に移行することを示唆する所定演出(図５４〜図５６の停止示唆演出(例えば、図柄の色が変わる、図柄が光る、図柄が拡大する、図柄が自転にて一回転する、図柄以外の表示場面転換)))を実行可能あることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、遊技進行の節度を保ち、遊技興趣の向上を図ることができる。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
熱膨張性シートを部分的に膨張させて前記熱膨張性シートの表面の起伏により立体形状を表現させるために前記熱膨張性シートに印刷される画像と、前記画像に基づいて熱膨張性シートが膨張することにより表現されることとなる立体形状を擬似的に表現したエンボス画像との表示を切り替える表示切替手段と、
前記画像と前記エンボス画像を表示部に表示させる表示制御手段と、
を備えたことを特徴とする表示装置。
【請求項２】
前記表示切替手段は、互いに異なる状態になるように前記画像を加工した複数の画像と、当該複数の画像に基づいた複数のエンボス画像との表示を切り替える、
ことを特徴とする請求項１に記載の表示装置。
【請求項３】
前記表示制御手段は、前記複数の画像と前記複数のエンボス画像を加工の種類ごとに並べて表示させる、
ことを特徴とする請求項２に記載の表示装置。
【請求項４】
前記加工は、前記画像の元となる元画像をグレースケール化する加工と、前記元画像の輪郭を抽出する加工を含む、
ことを特徴とする請求項２又は３に記載の表示装置。
【請求項５】
熱膨張性シートを部分的に膨張させて前記熱膨張性シートの表面の起伏により立体形状を表現させるために前記熱膨張性シートに印刷される画像と、前記画像に基づいて熱膨張性シートが膨張することにより表現されることとなる立体形状を擬似的に表現したエンボス画像の表示部への表示を切り替えて表示させる表示切替処理と、
前記画像と前記エンボス画像を前記表示部に表示させる表示制御処理と、
を有することを特徴とする立体画像表示方法。
【請求項６】
前記表示切替処理は、互いに異なる状態になるように前記画像を加工した複数の画像と、当該複数の画像に基づいた複数のエンボス画像と、を切り替える、
ことを特徴とする請求項５に記載の立体画像表示方法。
【請求項７】
前記表示制御処理は、前記複数の画像と前記複数のエンボス画像を加工の種類ごとに並べて表示させる、
ことを特徴とする請求項６に記載の立体画像表示方法。
【請求項８】
前記画像の元となる元画像をグレースケール化する加工と、前記元画像の輪郭を抽出する加工を実行する加工処理、
を有することを特徴とする請求項５乃至７のいずれか一項に記載の立体画像表示方法。
【請求項９】
熱膨張性シートを部分的に膨張させて前記熱膨張性シートの表面の起伏により立体形状を表現させるために前記熱膨張性シートに印刷される画像と、前記画像に基づいて熱膨張性シートが膨張することにより表現されることとなる立体形状を擬似的に表現したエンボス画像と、の表示を切り替える表示切替手段、
前記画像と前記エンボス画像を表示部に表示させる表示制御手段、
の機能をコンピュータに実現させることを特徴とする表示プログラム。
【請求項１０】
前記表示切替手段は、互いに異なる状態になるように前記画像を加工した複数の画像と、当該複数の画像に基づいた複数のエンボス画像との表示を切り替える、
ことを特徴とする請求項９に記載の表示プログラム。
【請求項１１】
前記表示制御手段は、前記複数の画像と前記複数のエンボス画像を加工の種類ごとに並べて表示させる、
ことを特徴とする請求項１０に記載の表示プログラム。
【請求項１２】
前記画像の元となる元画像をグレースケール化する加工と、当該元画像の輪郭を抽出する加工を実行する加工手段、
の機能をコンピュータに実現させることを特徴とする請求項９乃至１１のいずれか一項に記載の表示プログラム。
【手続補正２】
【補正対象書類名】明細書
【補正対象項目名】発明の名称
【補正方法】変更
【補正の内容】
【発明の名称】表示装置、立体画像表示方法、及び表示プログラム
【手続補正３】
【補正対象書類名】明細書
【補正対象項目名】０００１
【補正方法】変更
【補正の内容】
【０００１】
本発明は、表示装置、立体画像表示方法、及び表示プログラムに関する。
【手続補正４】
【補正対象書類名】明細書
【補正対象項目名】０００６
【補正方法】変更
【補正の内容】
【０００６】
本発明は、このような問題を解決するためになされたものであり、平面画像を三次元的に擬似表示することができる表示装置、立体画像表示方法、及び表示プログラムを提供することを目的とする。
【手続補正５】
【補正対象書類名】明細書
【補正対象項目名】０００７
【補正方法】変更
【補正の内容】
【０００７】
本発明の表示装置は、熱膨張性シートを部分的に膨張させて前記熱膨張性シートの表面の起伏により立体形状を表現させるために前記熱膨張性シートに印刷される画像と、前記画像に基づいて熱膨張性シートが膨張することにより表現されることとなる立体形状を擬似的に表現したエンボス画像との表示を切り替える表示切替手段と、前記画像と前記エンボス画像を表示部に表示させる表示制御手段と、を備えたことを特徴とする。
【手続補正書】
【提出日】令和1年7月1日(2019.7.1)
【手続補正１】
【補正対象書類名】明細書
【補正対象項目名】００１２
【補正方法】変更
【補正の内容】
【００１２】
前記第７側面に従う第８側面の自転車用制御装置において、前記制御部は、前記操作量が大きくなるほど、前記ランプの発光形状の面積を大きくする。
上記構成によれば、ランプの視認者がランプの発光形状によって制動装置の動作状態を直感的に把握できる。
【手続補正２】
【補正対象書類名】明細書
【補正対象項目名】００４９
【補正方法】変更
【補正の内容】
【００４９】
第３の例では、複数の点灯状態は、それぞれランプ６２の発光形状が異なる。制御部７２は、操作量Ｍに応じてランプ６２の発光形状を変更する。具体的には、制御部７２は、ランプ６２に含まれる複数のＬＥＤのうちの電流を供給するＬＥＤの数を変更することによって、ランプ６２の発光形状の面積を変更する。制御部７２は、操作量Ｍが大きくなるほど、ランプ６２の発光形状の面積を大きくする。制御部７２は、第１所定量ＭＸ１の場合のランプ６２の発光形状の面積と、操作量Ｍが第２所定量ＭＸ２の場合のランプ６２の発光形状の面積とを異ならせる。一例では、制御部７２は、第１操作量Ｍ１および第２操作量Ｍ２の和が大きくなるほど、ランプ６２の発光形状の面積を大きくする。図９は、第３の例において記憶部７４に記憶される操作量Ｍとランプ６２の発光形状との関係を規定するマップの一例を示す。
【手続補正３】
【補正対象書類名】明細書
【補正対象項目名】００６６
【補正方法】変更
【補正の内容】
【００６６】
制動力検出部１１２は、制動力を検出する。制動力検出部１１２は、第１制動力検出部１１２Ａおよび第２制動力検出部１１２Ｂを含む。第１制動力検出部１１２Ａは、前制動装置４０Ａの第１制動力を検出する。第２制動力検出部１１２Ｂは、後制動装置４０Ｂの第２制動力を検出する。制動力検出部１１２は、可動部４２（図２参照）の移動量に応じた信号を出力する。制動力検出部１１２は、第２実施形態の操作量検出部８２と同様に構成できる。第１制動力検出部１１２Ａは、第２実施形態の第１操作量検出部８２Ａと同様に構成できる。第２制動力検出部１１２Ｂは、第２実施形態の第２操作量検出部８２Ｂと同様に構成できる。
【手続補正４】
【補正対象書類名】明細書
【補正対象項目名】００７０
【補正方法】変更
【補正の内容】
【００７０】
第３の例では、複数の点灯状態は、それぞれランプ６２の発光形状が異なる。制御部７２は、制動力に応じてランプ６２の発光形状を変更する。制御部７２は、制動力が大きくなるほど、ランプ６２の発光形状の面積を大きくする。一例では、制御部７２は、第１制動力および第２制動力の和が大きくなるほど、ランプ６２の発光形状の面積を大きくする。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
ローラ部と、前記ローラ部と接して所定の外径を有するローラ軸と、を有するローラ部材において、
前記ローラ部は、外周部と、前記ローラ軸から前記外周部へ立ち上る第１の平面部と、前記ローラ軸から前記外周部へ立ち上る第２の平面部と、を備え、
前記ローラ軸は、前記第１の平面部に連なる平面に露出した面を有し、前記所定の外径より大きい外径を有する第１のフランジ部と、前記第２の平面部に連なる平面に露出した面を有し、前記所定の外径より大きい外径を有する第２のフランジ部と、を備え、
前記第１のフランジ部および前記第２のフランジ部と接する部分の前記ローラ部の径方向の厚みは、前記第１のフランジ部および前記第２のフランジ部と接しない部分の前記ローラ部の径方向の厚みより薄いことを特徴とするローラ部材。
【請求項２】
請求項１に記載のローラ部材において、前記ローラ軸は、前記所定の外径より窪んだ凹部から成る肉抜き部を有することを特徴とするローラ部材。
【請求項３】
請求項２に記載のローラ部材において、前記ローラ部は、前記肉抜き部に接する第１の部分と、前記ローラ軸の前記所定の外径を有する部分に接する第２の部分と、前記ローラ軸の前記第１のフランジ部および前記第２のフランジ部の外周に接する第３の部分と、を有し、前記第３の部分の径方向の厚みより前記第２の部分の径方向の厚みが大きく、かつ、前記第２の部分の径方向の厚みより前記第１の部分の径方向の厚みが大きいことを特徴とするローラ部材。
【請求項４】
請求項１から３のいずれか１項に記載のローラ部材において、前記第１のフランジ部および前記第２のフランジ部は段差形状を有することを特徴とするローラ部材。
【請求項５】
請求項１から３のいずれか１項に記載のローラ部材において、前記第１のフランジ部および前記第２のフランジ部はテーパ形状を備えることを特徴とするローラ部材。
【請求項６】
請求項１から５のいずれか１項に記載のローラ部材において、前記ローラ部を複数有し、前記複数のローラ部のローラ部とローラ部との間の前記ローラ軸は、前記所定の外径より小さい外径を有することを特徴とするローラ部材。
【請求項７】
請求項１から６のいずれか１項に記載のローラ部材を有することを特徴とする複写機。
【請求項８】
請求項１から６のいずれか１項に記載のローラ部材を有することを特徴とするプリンタ。
【手続補正２】
【補正対象書類名】明細書
【補正対象項目名】発明の名称
【補正方法】変更
【補正の内容】
【発明の名称】ローラ部材、複写機、およびプリンタ
【手続補正３】
【補正対象書類名】明細書
【補正対象項目名】０００１
【補正方法】変更
【補正の内容】
【０００１】
本発明は、ローラ部材、およびそれを用いた複写機、およびプリンタに関するものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
上記課題を解決するため、本発明においては、ローラ部と、前記ローラ部と接して所定の外径を有するローラ軸と、を有するローラ部材において、前記ローラ部は、外周部と、前記ローラ軸から前記外周部へ立ち上る第１の平面部と、前記ローラ軸から前記外周部へ立ち上る第２の平面部と、を備え、前記ローラ軸は、前記第１の平面部に連なる平面に露出した面を有し、前記所定の外径より大きい外径を有する第１のフランジ部と、前記第２の平面部に連なる平面に露出した面を有し、前記所定の外径より大きい外径を有する第２のフランジ部と、を備え、前記第１のフランジ部および前記第２のフランジ部と接する部分の前記ローラ部の径方向の厚みは、前記第１のフランジ部および前記第２のフランジ部と接しない部分の前記ローラ部の径方向の厚みより薄い構成を採用した。
【手続補正書】
【提出日】平成31年4月26日(2019.4.26)
【手続補正１】
【補正対象書類名】明細書
【補正対象項目名】００６３
【補正方法】変更
【補正の内容】
【００６３】
識別性の評価試験は、サンプル１から１０に係る繊維体から第１繊維体のサンプルと第２繊維体のサンプルを選択し、黒い塵芥（黒色の髪の毛、砂粒）と白い塵芥（皮膚片、フケ）を両方のサンプルに付着させ、黒い塵芥に対する識別性及び白い塵芥に対する識別性を目視にて評価した。評価者は、１０人であり、塵芥を識別できる評価者が９０％以上の場合を「◎◎」とし、塵芥を識別できる評価者が８０％以上の場合を「◎」とし、塵芥を識別できる評価者が７０％以上の場合を「〇」、塵芥を識別できる評価者が５０％以上の場合を「△」、及び塵芥を識別できる評価者が５０％未満の場合を「×」とした。評価結果を表２に示す。
【表２】
2019051130.tif 000001
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技媒体が進入可能な進入有利状態と遊技媒体が進入不能または困難な進入不利状態とに変化可能な可変始動装置と、
前記可変始動装置の下流側に設けられ、進入有利状態と進入不利状態とに変化可能な所定可変装置と、
複数の開放パターンのうちのいずれかの開放パターンにより前記可変始動装置を制御可能な可変始動装置制御手段と、
前記可変始動装置に遊技媒体が進入したことにもとづいて可変表示を実行可能な可変表示実行手段と、
可変表示の表示結果が所定表示結果となったことにもとづいて、前記所定可変装置を進入有利状態に変化させる所定状態に制御可能な所定状態制御手段と、
前記所定状態に制御される頻度を高めた特別状態に制御可能な特別状態制御手段と、
可変表示に関する演出を表示可能な表示手段と、を備え、
前記特別状態制御手段は、前記特別状態として、第１特別状態と、該第１特別状態とは有利度合いが異なる第２特別状態とに制御可能であり、
前記可変始動装置制御手段は、
前記複数の開放パターンのうち非特定開放パターンよりも前記所定可変装置に遊技媒体が流下しやすい特定開放パターンにより前記可変始動装置を制御可能であり、
前記第１特別状態に制御されている場合と前記第２特別状態に制御されている場合とで、異なる割合で前記特定開放パターンにより前記可変始動装置を制御可能である
ことを特徴とする遊技機。
【手続補正２】
【補正対象書類名】明細書
【補正対象項目名】０００９
【補正方法】変更
【補正の内容】
【０００９】
（手段１）本発明による遊技機は、可変表示を行い、遊技者にとって有利な有利状態（例えば、大当り遊技状態）に制御可能な遊技機であって、遊技媒体（例えば、遊技球）が進入可能な進入有利状態（例えば、開状態）と遊技媒体が進入不能または困難な進入不利状態（例えば、閉状態）とに変化可能な可変始動装置（例えば、可変入賞球装置１５）と、可変始動装置の下流側に設けられ、進入有利状態と進入不利状態とに変化可能な所定可変装置（例えば、特殊可変入賞球装置２２）と、複数の開放パターンのうちのいずれかの開放パターンにより可変始動装置を制御可能な可変始動装置制御手段（例えば、遊技制御用マイクロコンピュータ５６０におけるステップＳ２６Ｃを実行することにより、図１５（１），（２）に示すように、可変入賞球装置１５を５．５秒または０．５秒開放状態に制御する部分）と、可変始動装置に遊技媒体が進入したことにもとづいて可変表示を実行可能な可変表示実行手段（例えば、遊技制御用マイクロコンピュータ５６０におけるステップＳ３００〜Ｓ３０４，Ｓ３５０〜Ｓ３５４を実行する部分）と、可変表示の表示結果が所定表示結果（例えば、小当り図柄）となったことにもとづいて、所定可変装置を進入有利状態に変化させる所定状態（例えば、小当り遊技状態）に制御可能な所定状態制御手段（例えば、遊技制御用マイクロコンピュータ５６０におけるステップＳ３５８〜Ｓ３６０を実行する部分）と、所定状態に制御される頻度を高めた特別状態（例えば、ＫＴ状態）に制御可能な特別状態制御手段（例えば、遊技制御用マイクロコンピュータ５６０におけるステップＳ２２０８Ａ，Ｓ２２１１Ａ，Ｓ２２１２Ａ，Ｓ２２０９Ｂ，Ｓ２２１０Ｂ，Ｓ２２１３Ｂ，Ｓ２２１４Ｂを実行する部分）と、可変表示に関する演出を表示可能な表示手段（例えば、演出表示装置９）と、を備え、特別状態制御手段は、特別状態として、第１特別状態（例えば、高確率／第１ＫＴ状態）と、該第１特別状態とは有利度合いが異なる第２特別状態（例えば、高確率／第２ＫＴ状態）とに制御可能であり、可変始動装置制御手段は、複数の開放パターンのうち非特定開放パターンよりも所定可変装置に遊技媒体が流下しやすい特定開放パターンにより可変始動装置を制御可能であり（例えば、図１５（２）に示すように、可変入賞球装置１５を０．５秒間だけ開放する）、第１特別状態に制御されている場合と第２特別状態に制御されている場合とで、異なる割合で特定開放パターンにより可変始動装置を制御可能である（例えば、第１ＫＴ状態では、図１５（１）に示すように、可変入賞球装置１５を５．５秒間開放し、第２ＫＴ状態では、図１５（２）に示すように、可変入賞球装置１５を０．５秒間だけ開放する）ことを特徴とする。そのような構成によれば、特別状態における遊技性の単調さを解消することができ、特別状態に制御する場合の遊技の興趣を向上させることができる。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
遊技を行う遊技機であって、
第１基板と、
前記第１基板に従属する第２基板と、
前記第１基板に従属する基板であって、前記第２基板とは異なる第３基板と、を備え、
前記第２基板は、前記第１基板から出力された第１信号を前記第１信号とは異なる第２信号へ変換する変換手段を備え、前記変換手段で変換された前記第２信号の一部を、前記第１基板を介して前記第３基板へ出力する、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本発明に係る遊技機は、
遊技を行う遊技機（例えばパチンコ遊技機１など）であって、
第１基板（例えば演出制御用中継基板１６Ａなど）と、
前記第１基板に従属する第２基板（例えば発光体制御基板１６Ｃなど）と、
前記第１基板に従属する基板であって、前記第２基板とは異なる第３基板（例えば第４図柄基板１６Ｂなど）と、を備え、
前記第２基板は、前記第１基板から出力された第１信号を前記第１信号とは異なる第２信号へ変換する変換手段（例えばシリアル−パラレル変換ＩＣなど）を備え、前記変換手段で変換された前記第２信号の一部を、前記第１基板を介して前記第３基板へ出力する（例例えば第４図柄用のパラレルデータ信号を演出制御用中継基板１６Ａを介して第４図柄基板１６Ｂに送信するなど）、
ことを特徴とする。
（１）また、上記目的を達成するため、本発明に係る他の遊技機として、
遊技を行う遊技機（例えばパチンコ遊技機１など）であって、
第１基板（例えば演出制御用中継基板１６Ａなど）と、
前記第１基板に従属する第２基板（例えば発光体制御基板１６Ｃなど）と、を備え、
前記第２基板は、前記第１基板から出力された第１信号を前記第１信号とは異なる第２信号へ変換する変換手段（例えばシリアル−パラレル変換ＩＣなど）を備え、前記変換手段で変換された前記第２信号の一部を前記第１基板へ出力する（例えば第４図柄用のパラレルデータ信号を演出制御用中継基板１６Ａに送信するなど）、
ことを特徴としてもよい。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御されることを報知する報知演出を実行する報知演出実行手段と、
遊技者が操作可能な操作手段と、
前記操作手段の状態を第１状態と第２状態とに制御可能な状態制御手段と、
演出に使用される可動体と、を備え、
前記状態制御手段は、前記操作手段の状態を前記報知演出が開始された後の第１タイミングにおいて前記第１状態から前記第２状態に制御し、特定期間経過後に前記第２状態から前記第１状態に制御し、前記第１状態となった後の第２タイミングにおいて前記第２状態に制御可能である、遊技機。
【手続補正２】
【補正対象書類名】明細書
【補正対象項目名】０００６
【補正方法】変更
【補正の内容】
【０００６】
（１）  遊技者にとって有利な有利状態（大当り遊技状態等）に制御可能な遊技機（パチンコ遊技機１等）であって、
前記有利状態に制御されることを報知する報知演出（バトル演出等）を実行する報知演出実行手段（演出制御用マイクロコンピュータ１００等）と、
遊技者が操作可能な操作手段（プッシュボタン１２０等）と、
前記操作手段の状態を第１状態（通常状態等）と第２状態（振動状態等）とに制御可能な状態制御手段（演出制御用マイクロコンピュータ１００等）と、
演出に使用される可動体（可動体としての第１上部役物２９Ｌ等）と、を備え、
前記状態制御手段は、前記操作手段の状態を前記報知演出が開始された後の第１タイミング（図１３に示すライフゲージ０となる第１タイミング等）において前記第１状態（通常状態等）から前記第２状態（振動状態等）に制御し、特定期間経過後（図１３に示す連打有効期間および必須振動期間の経過後等）に前記第２状態（振動状態等）から前記第１状態（通常状態等）に制御し、前記第１状態（通常状態等）となった後の第２タイミング（図１３に示す敵にヒットする第２タイミング等）において前記第２状態（振動状態等）に制御する。
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
切断刃によって切断され個片化された、凹凸を有する保持対象品が複数保持された保持部材を製造する保持部材の製造方法であって、
前記切断刃の厚みより大きな第１の幅を有する複数の溝部を主面に有する成形型を準備する工程と、
前記成形型を樹脂材料に対向して配置する工程と、
前記成形型の前記主面を前記樹脂材料に押し付ける工程と、
前記樹脂材料を硬化させて硬化樹脂を形成することによって前記硬化樹脂を含む成形品を成形する工程と、
前記成形型から前記成形品を取り外す工程とを備え、
前記成形品は、前記複数の溝部が前記硬化樹脂に転写されることによって形成された複数の壁部に取り囲まれた凹部を複数備えた保持部材であり、
前記凹部が、前記保持対象品の前記凹凸を収容し、前記凹部を取り囲む前記壁部と前記保持対象品とによって密閉された状態で、前記保持対象品が保持される、保持部材の製造方法。
【請求項２】
箱状部材を準備する工程と、
前記箱状部材に前記樹脂材料を供給する工程とを更に備え、
前記樹脂材料に押し付ける工程では、前記箱状部材に供給された前記樹脂材料に前記成形型の前記主面を押し付ける、請求項１に記載された保持部材の製造方法。
【請求項３】
前記硬化樹脂から前記箱状部材を取り外す工程を更に備える、請求項２に記載された保持部材の製造方法。
【請求項４】
前記成形型は、硬質板と、前記硬質板の前記主面に形成された前記複数の溝部とを含み、
前記複数の溝部は、第１の方向に沿って伸びる複数の第１の溝部と、前記第１の方向と交わる第２の方向に沿って伸びる複数の第２の溝部とを含む、請求項１〜３のいずれか１項に記載された保持部材の製造方法。
【請求項５】
前記成形品を成形する工程は、土台である第１の層を設ける工程と、前記第１の層を覆うようにして形成され前記保持対象品に接することができる第２の層を成形する工程とを含み、
前記第２の層は前記第１の層よりも軟らかい、請求項１〜４のいずれか１項に記載された保持部材の製造方法。
【請求項６】
前記凹部に設けられ少なくとも前記硬化樹脂を貫通する貫通穴を形成する工程を更に備え、
前記貫通穴は前記保持対象品を吸着するための吸引穴である、請求項１〜５のいずれか１項に記載された保持部材の製造方法。
【請求項７】
切断刃によって切断され個片化された、凹凸を有する保持対象品が複数保持される保持部材であって、
樹脂材料が硬化して形成され、前記保持対象品に接する接触面を有する硬化樹脂と、
前記硬化樹脂に含まれ、第１の方向に沿って伸びる複数の第１の壁部と、
前記硬化樹脂に含まれ、前記第１の方向と交わる第２の方向に沿って伸びる複数の第２の壁部と、
前記複数の第１の壁部と前記複数の第２の壁部とによって取り囲まれた凹部とを備え、
前記凹部が、前記保持対象品の前記凹凸を収容し、前記凹部を取り囲む前記壁部と前記保持対象品とによって密閉された状態で、前記保持対象品が保持され、
前記複数の第１の壁部が有する形状は、成形型の主面において形成され、前記切断刃の厚みより大きな第１の幅を有する複数の第１の溝部の形状が前記硬化樹脂に転写された形状であり、
前記複数の第２の壁部が有する形状は、前記成形型の主面において形成され、前記切断刃の厚みより大きな前記第１の幅を有する複数の第２の溝部の形状が前記硬化樹脂に転写された形状である、保持部材。
【請求項８】
前記第１の壁部及び前記第２の壁部が、個片化された後の隣接する前記保持対象品同士の隙間を塞ぐように配置されるように、前記第１の溝部及び前記第２の溝部が前記成形型に形成されている、請求項７に記載の保持部材の製造方法。
【請求項９】
請求項７に記載された保持部材を有する、保持機構。
【請求項１０】
請求項７に記載された保持部材を有する、製品の製造装置。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技を制御可能な遊技制御手段と、
第１部材及び該第１部材と所定の間隔で離間している第２部材と、
可撓性を有する線状部を前記第１部材の所定部位とともに保持対象物に巻き付け、該線状部の特定部位に設けられ前記所定の間隔よりも長い係止部に、該特定部位とは異なる部位を係止することにより前記保持対象物を前記第１部材に保持することが可能な保持部材と、
を備え、
前記第１部材と前記第２部材との少なくとも一方は、前記第１部材と前記第２部材とが前記所定の間隔を維持しながら動作可能であり、
前記保持部材により前記保持対象物を前記第１部材に保持した状態において前記係止部が前記第１部材より突出し、
前記保持部材により前記保持対象物を前記第１部材に保持した状態において前記係止部が前記第２部材と接触可能な位置へ回動することを阻止する回動阻止手段を備える
ことを特徴とする遊技機。
【手続補正２】
【補正対象書類名】明細書
【補正対象項目名】０００７
【補正方法】変更
【補正の内容】
【０００７】
前記課題を解決するために、本発明の手段１の遊技機は、
遊技が可能な遊技機（例えば、パチンコ遊技機１）であって、
遊技を制御可能な遊技制御手段（例えば、主基板１１など）と、
第１部材（例えば、アーム３０３Ｌ，３０３Ｒ（第１構成部材３２１））及び該第１部材と所定の間隔で離間している第２部材（例えば、第３ギヤ３１０／ベース部材３０１）と、
可撓性を有する線状部（例えば、線状部３３１／線状部４３１）を前記第１部材の所定部位（例えば、巻付部３２１ｅ）とともに保持対象物（例えば、配線ＬＮ等）に巻き付け、該線状部の特定部位（例えば、線状部３３１の一端／線状部４３１の一端）に設けられ前記所定の間隔よりも長い係止部（例えば、係止部３３２／係止部４３２）に該特定部位とは異なる部位（例えば、線状部３３１の他端に設けた被係止部３３１ａ／線状部４３１の他端に設けた貫通孔４３３）を係止することにより前記保持対象物を前記第１部材に保持することが可能な保持部材（例えば、結束バンド３３０／結束バンド４３０）と、
を備え、
前記第１部材と前記第２部材との少なくとも一方は、前記第１部材と前記第２部材とが前記所定の間隔を維持しながら動作可能であり（例えば、アーム３０３Ｌ，３０３Ｒは、第３ギヤ３１０の回動により動作可能となっている。図１１参照。）、
前記保持部材により前記保持対象物を前記第１部材に保持した状態において前記係止部が前記第１部材より突出し（例えば、結束バンド３３０により配線ＬＮを第１構成部材３２１に保持した状態において係止部３３２が第１構成部材３２１よりも前面側に突出する。図１２参照。）、
前記保持部材により前記保持対象物を前記第１部材に保持した状態において前記係止部が前記第２部材と接触可能な位置へ回動することを阻止する回動阻止手段を備える（例えば、回動阻止部３２２ａが切欠部３２１ｃの側方に設けられているため、結束バンド３３０の回動が阻止され、係止部３３２が第３ギヤ３１０に接触することが防止される。図１２参照。／図１３（Ａ）に示すように、第１構成部材３４１の側辺部における前面側角部に側壁部３４２の一部が残存するように切欠部３４１ｃを形成し、該残存した側壁部３４２の一部を回動阻止手段とする。／キャップ部材３５０）
ことを特徴としている。
この特徴によれば、回動阻止手段により係止部が第２部材と接触可能な位置まで回動することを阻止できるため、該係止部が第２部材に接触して第１部材または第２部材の動作を阻害することを回避できる。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
遊技可能な遊技機であって、  
機種を特定するための機種情報と、前記機種情報を外部端末によって読み取り可能とするための暗号化情報とが少なくとも記されたラベルを備え、
前記暗号化情報には製造情報が含まれていることを特徴とする遊技機。
【手続補正２】
【補正対象書類名】明細書
【補正対象項目名】０００７
【補正方法】変更
【補正の内容】
【０００７】
前記課題を解決するために、手段１に記載の遊技機は、遊技可能な遊技機であって、機種を特定するための機種情報（例えば、大当たり確率（通常時の大当たり確率、確率変動時の大当たり確率など）と、賞球数、確率変動の有無、ラウンド数、確変突入率、電サポ回数、リミットの有無、スペックタイプ等のスペックに関する情報、機種名、製造者名など）、前記機種情報を外部端末（例えば、リーダー、スマートフォンなど）によって読み取り可能とするための暗号化情報（例えば、バーコード、ＱＲコード（登録商標）等の二次元コードなど）とが少なくとも記されたラベルを備え、前記暗号化情報には製造情報が含まれていることを特徴としている。
この特徴によれば、遊技機に誤ったラベルを設け、ラベルに記載されている文字や記号等から得られる機種情報を誤認識したとしても、ラベルに記載されている暗号化情報から得られる機種情報を外部端末で確認することによりラベルの貼り間違い等に気付くことができる。言い換えれば、二重で正誤の確認を行うことができる。よって、ラベルの貼り間違い等の遊技機製造時のヒューマンエラーを効果的に防止できる。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
可変表示を行う遊技機であって、  
少なくとも第１動作と第２動作とを検出可能な検出手段と、  
演出に関する設定状態を第１状態または第２状態に設定可能な設定手段と、  
演出実行条件が成立したときに特定演出を実行可能な特定演出実行手段とを備え、  
前記特定演出実行手段は、  
前記第１状態において、前記検出手段の検出結果にもとづいて前記演出実行条件が成立したとして特定演出を実行可能である一方、  
前記第２状態において、前記検出手段の検出結果に関わらず前記演出実行条件が成立したとして特定演出を実行可能であり、  
前記設定手段は、可変表示の実行中に前記検出手段の検出結果にもとづいて前記第１状態から前記第２状態に設定を変更可能である  
ことを特徴とする遊技機。
【手続補正２】
【補正対象書類名】明細書
【補正対象項目名】００１０
【補正方法】変更
【補正の内容】
【００１０】
（１）本発明による遊技機は、可変表示を行う遊技機であって、少なくとも第１動作と第２動作とを検出可能な検出手段と、検出可能な検出手段（例えば、プッシュボタン１２０）と、演出に関する設定状態を第１状態（例えば、オートボタン機能が無効に設定されている状態）または第２状態（例えば、オートボタン機能が有効に設定されている状態）に設定可能な設定手段（例えば、演出制御用マイクロコンピュータ１００がステップＳ７１０やＳ８２５を実行する部分）と、演出実行条件が成立したときに特定演出（例えば、ボタン予告演出Ａ〜Ｃや、決めボタン演出において、プッシュボタン１２０の操作が検出されたことにもとづいて、ゲージ表示の目盛を減少させる表示や、予告表示や当否表示の表示を行うことなど）を実行可能な特定演出実行手段（例えば、演出制御用マイクロコンピュータ１００がステップＳ８１４４，Ｓ８１５３，Ｓ８１７４や、Ｓ８１１８，Ｓ８１３３を実行する部分）とを備え、特定演出実行手段は、第１状態において、検出手段の検出結果にもとづいて演出実行条件が成立したとして特定演出を実行可能である一方、第２状態において、検出手段の検出結果に関わらず演出実行条件が成立したとして特定演出を実行可能であり（例えば、オートボタン機能が有効に設定されているときには、プッシュボタン１２０の操作が行われなくても、予告表示の表示や当否表示の表示、ゲージ表示の目盛を減少させる表示などが行われる。図３６〜図３７、図４３〜図４４等参照）、設定手段は、可変表示の実行中に検出手段の検出結果にもとづいて第１状態から第２状態に設定を変更可能である（例えば、演出制御用マイクロコンピュータ１００がステップＳ７１０３〜Ｓ７１０４の処理を実行する部分）ことを特徴とする。  
そのような構成によれば、興趣が低下することを防止することができる。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
注射ペンハウジングを有し、各注射のために置き換え可能な針組立体と共に使用される注射ペンを介して、薬剤を患者に注射するためのシステムであって、
注射ペンハウジングと前記置き換え可能な針組立体の間に離脱式に結合され、前記薬剤を前記注射ペンハウジングから前記針組立体に送達するように構成されたアダプタであって、前記注射ペンハウジングが
薬剤のカートリッジを受け取るためのカートリッジ保持部材と、
前記カートリッジ保持部材の遠位端の外部円周上のねじ山であって、前記針組立体の内部円周上の溝と共働し、前記注射ペンが使用されるたびに、それらの結合及び結合解除と、前記針組立体の置き換えを容易にするねじ山と、を有し、
前記アダプタが、
前記アダプタと前記注射ペンハウジングとの結合及び結合解除とを容易にするために、前記注射ペンハウジングの前記ねじ山と共働するように、前記針組立体の前記溝と同じであるように構成された、前記アダプタの近位端の内部円周上の溝と、
前記注射ペンハウジングから前記置き換え可能な針組立体までに沿って薬物を提供するカニューレであって、前記アダプタが前記注射ペンハウジングと結合して、前記注射ペンハウジングと流体経路接続するとき、前記注射ペンハウジング内に延在する近位部を有する、カニューレと、
前記アダプタと前記針組立体との結合及び結合解除を容易にするため、前記置き換え可能な針組立体の内部円周上の溝と共働するように、前記注射ペンハウジングのねじ山と同じであるように構成された、前記アダプタの遠位端の外部円周上のねじ山であって、前記アダプタが前記針組立体に結合して、前記アダプタが前記針組立体との流体経路接続するときに、前記針組立体内に延在する遠位部を有する、ねじ山と
を有する、前記アダプタと、
前記薬剤または前記患者へのその送達についての、少なくとも１つの特性を感知し、センサデータを生成するように、前記アダプタ内に提供されたマイクロチップとして構成されたセンサと、
前記センサと無線式に通信してそのセンサデータを得るように構成されたデバイスとを備えることを特徴とするシステム。
【請求項２】
前記センサは、流量を決定するための飛行時間センサを備えることを特徴とする請求項１に記載のシステム。
【請求項３】
前記デバイスは、前記センサデータの無線伝送を得るように、及び、無線電力を前記センサに提供するように構成されることを特徴とする請求項１に記載のシステム。
【請求項４】
前記デバイスは、無線電力を前記センサに提供するために無線自動識別（ＲＦＩＤ）及び表面音響波（ＳＡＷ）の技術のうちの一方を採用することを特徴とする請求項１に記載のシステム。
【請求項５】
前記センサは、薬物の識別、及び、流量の少なくとも１つを検出することを特徴とする請求項１に記載のシステム。
【請求項６】
前記デバイスは、携帯型ユーザインターフェースであることを特徴とする請求項１に記載のシステム。
【請求項７】
前記携帯型ユーザインターフェースは、前記アダプタとインターフェース接続すること、前記センサデータを処理すること、前記薬剤またはその送達に関する警告を設定すること、および表示するために薬物の使用および劣化に関する情報をグラフ化し、指標化する、アプリケーションに従って動作するように構成された携帯電話であることを特徴とする請求項６に記載のシステム。
【請求項８】
前記センサは、投与量を検出することを特徴とする請求項１に記載のシステム。
【請求項９】
前記センサデータは、搭載中のインスリンを推定し、投与量の品質を確認するために使用され得ることを特徴とする請求項１に記載のシステム。
【請求項１０】
薬剤を患者に注射するためのシステムであって、
患者の皮膚表面に接着されることが可能であり、薬剤のリザーバと、始動デバイスと、前記薬剤の指定された量を前記リザーバから前記患者に送達するための針マニホールドとを備えるパッチ様注入デバイスであって、前記針マニホールドは、前記始動デバイスの作動時に、前記パッチ様注入デバイスの外側に延びる、パッチ様注入デバイスと、
前記薬剤と、前記薬剤または前記患者へのその送達についての少なくとも１つの特性を感知し、センサデータを生成するように、前記パッチ様注入デバイス内に提供されたマイクロチップとして構成され、前記針マニホールドに対して固定されたセンサと、
前記センサと無線式に通信してそのセンサデータを得るように構成されたデバイスとを備えることを特徴とするシステム。
【請求項１１】
前記デバイスは、携帯型ユーザインターフェースであることを特徴とする請求項１０に記載のシステム。
【請求項１２】
前記デバイスは、前記センサデータの無線伝送を得るように、及び、無線電力を前記センサに提供するように構成されることを特徴とする請求項１０に記載のシステム。
【請求項１３】
前記デバイスは、無線電力を前記センサに提供するために無線自動識別（ＲＦＩＤ）及び表面音響波（ＳＡＷ）の技術のうちの一方を採用することを特徴とする請求項１０に記載のシステム。
【請求項１４】
前記センサは、流量を決定するための飛行時間センサを備えることを特徴とする請求項１０に記載のシステム。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
皮膚移植片を獲得するための装置において、前記装置が：
患者の皮膚の標的領域に配置されるように構成されハーベスターを具え、
前記ハーベスターが：
複数の開口部がそれぞれに形成されている複数のプレートであって、複数のプレートを積み重ねたときに、各プレートの複数の開口部が他のプレートの複数の開口部と整列するように前記複数の開口部が構成されている複数のプレートと；
前記複数のプレートの少なくとも１つに配置された複数の結合部材であって、少なくとも２つのプレートの間に壊れやすい連結を少なくとも１つ形成し、これにより、使用前に少なくとも２つのプレートの複数の開口部を整列させたまま維持する複数の連結部材と；を具え、
少なくとも１つの前記壊れやすい連結が、少なくとも２つのプレートの少なくとも一方に横方向の力をかけることにより壊れて、２つのプレートの相対的な移動が可能となるように構成されていることを特徴とする装置。
【請求項２】
請求項１に記載の装置において、前記複数のプレートが、少なくとも１つの整列プレートと、少なくとも１つの切取プレートを具えることを特徴とする装置。
【請求項３】
請求項２に記載の装置において、前記少なくとも１つの整列プレートと前記少なくとも１つの切取プレートが、少なくとも１つの前記壊れやすい連結によって、互いに対して移動できるように連結されていることを特徴とする装置。
【請求項４】
請求項１に記載の装置において、前記壊れやすい連結が、機械的なスタンプ、機械的なパンチ、溶接、エポキシ、接着剤、機械的圧縮、スナップフィット、さねはぎ、ポストと棒、壊れやすいピン、のうちの少なくとも１つを有することを特徴とする装置。
【請求項５】
請求項１に記載の装置において、前記複数のプレートのうちの少なくとも１つが、ほぼ均一な厚みを有することを特徴とする装置。
【請求項６】
請求項１に記載の装置において、前記複数のプレートが、底部プレート、中間プレート、および上部プレートを有することを特徴とする装置。
【請求項７】
請求項６に記載の装置において、少なくとも１つの前記壊れやすい連結が、前記中間プレートを、前記上部プレートおよび前記底部プレートの少なくとも一方に連結するように構成されていることを特徴とする装置。
【請求項８】
請求項６に記載の装置において、少なくとも１つの前記壊れやすい連結が壊れたときに、前記中間プレートが、前記上部プレートおよび前記底部プレートの少なくとも一方に対して移動するように構成されていることを特徴とする装置。
【請求項９】
請求項６に記載の装置において、前記中間プレートが、溝およびチャンネルのうちの少なくとも１つを有しており、当該溝またはチャンネルが、前記底部プレートから鉛直に延在しているピンを受けるように構成され、少なくとも１つの前記壊れやすい連結が壊れていないときは、前記ピンは前記溝またはチャンネルの一方の端部に受け入れられており、少なくとも１つの前記壊れやすい連結が壊れたときは、前記ピンが前記溝またはチャンネルの反対側の端部へと横方向に摺動するように構成されていることを特徴とする装置。
【請求項１０】
請求項６に記載の装置において、前記上部プレートが、放射線吸収材料およびフルオロポリマーの表面の少なくとも一方を有することを特徴とする装置。
【請求項１１】
請求項６に記載の装置において、前記中間プレートが切取面を有することを特徴とする装置。
【請求項１２】
請求項１に記載の装置において、前記ハーベスターが、負圧を前記患者の皮膚の標的領域に送達するように構成され、前記負圧が、前記患者の皮膚の少なくとも一部分を前記複数の開口部を通して引っ張ることによって、前記目的領域に少なくとも１つの皮膚の疱を形成するように構成されていることを特徴とする装置。
【請求項１３】
請求項１２に記載の装置において、前記複数のプレートが、少なくとも１つの前記皮膚の疱を切り取るように構成された切取プレートを有することを特徴とする装置。
【請求項１４】
請求項１３に記載の装置が、さらに、前記切取プレートを移動させて少なくとも１つの前記皮膚の疱を切り取るように構成されたアクチュエータを具えることを特徴とする装置。
【請求項１５】
請求項１４に記載の装置のいて、前記アクチュエータが、少なくとも１つの前記皮膚の疱を切り取ったときに、前記切取プレートを引っ込めるように構成されていることを特徴とする装置。
【請求項１６】
請求項１に記載の装置が、さらに、前記患者の皮膚の目的領域を加熱して、前記目的領域において少なくとも１つの皮膚の疱の形成を促進するように構成された熱源を具えることを特徴とする装置。
【請求項１７】
請求項１６に記載の装置において、前記熱源が電気抵抗型加熱素子であることを特徴とする装置。
【請求項１８】
請求項１６に記載の装置が、さらに、前記目的領域の温度を測定するように構成された少なくとも１つの温度測定要素を具えることを特徴とする装置。
【請求項１９】
請求項１に記載の装置が、さらに、前記患者の皮膚の目的領域における視覚的な観察を提供する覗き窓を具えることを特徴とする装置。
【請求項２０】
請求項１に記載の装置において、前記ハーベスターがヘッドを具え、当該ヘッドが、ａ）前記患者の皮膚の目的領域に配置され、かつｂ）負圧を前記目的領域に送達する真空源に連結されるように構成されおり、前記ヘッドが、さらに、目的領域の上に配置されて真空源が起動したときに、負圧室が前記患者の皮膚の目的領域の上に形成されるように構成されていることを特徴とする装置。